(57)【要約】【課題】ケーブル線の端部に取付けられたハウジングを容易に交換できるようにし、現場におけるハウジングの交換作業を容易にする。【解決手段】ケーブル線１１の端部を収容するプラグハウジング２０を具備するプラグ・ソケット式ケーブル線中継用コネクタに、ケーブル線１１の端部がプラグハウジング２０から抜けるのを防止するリングスプリング４０と、リングスプリング４０を解除する解除リング６０とを設ける。ケーブル線７１の端部を収容するソケットハウジング８０を具備するプラグ・ソケット式ケーブル線中継用コネクタに、ケーブル線７１の端部がソケットハウジング８０から抜けるのを防止するリングスプリング２００と、リングスプリング２００を解除する解除リング２００とを設ける。【選択図】図８
2005293958.tif 000002
【特許請求の範囲】
【請求項１】
ケーブル線の端部を収容するためのハウジングを具備するプラグ・ソケット式ケーブル線中継用コネクタにおいて、ケーブル線の端部が前記ハウジングから抜けるのを防止するための抜け止め手段と、前記抜け止め手段を解除するための解除手段とを具備することを特徴とするプラグ・ソケット式ケーブル線中継用コネクタ。
【請求項２】
前記抜け止め手段を前記ハウジングに取付けるための係止手段を設け、前記係止手段に突起を形成し、前記解除手段が前記ハウジングから脱落するのを防止するために前記係止手段の突起と係合する突起を前記解除手段に形成したことを特徴とする請求項１に記載のプラグ・ソケット式ケーブル線中継用コネクタ。
【請求項３】
ケーブル線の端部の芯線部分と係合するための弾性変形可能な第１の係合部を有するコンタクトをソケットハウジング内に配置したことを特徴とする請求項１又は２に記載のプラグ・ソケット式ケーブル線中継用コネクタ。
【請求項４】
ケーブル線の端部の芯線部分が前記第１の係合部と係合せしめられる時にその芯線部分を保護誘導するための第１の保護誘導部を前記第１の係合部に隣接して配置したことを特徴とする請求項４に記載のプラグ・ソケット式ケーブル線中継用コネクタ。
【請求項５】
プラグハウジングに取付けられたケーブル線の端部の芯線部分と係合するための弾性変形可能な第２の係合部を前記コンタクトに設けたことを特徴とする請求項３又は４に記載のプラグ・ソケット式ケーブル線中継用コネクタ。
【請求項６】
プラグハウジングに取付けられたケーブル線の端部の芯線部分が前記第２の係合部と係合せしめられる時にその芯線部分を保護誘導するための第２の保護誘導部を前記第２の係合部に隣接して配置したことを特徴とする請求項５に記載のプラグ・ソケット式ケーブル線中継用コネクタ。
【請求項７】
前記ソケットハウジングの内壁面と係合するための弾性変形可能な係止部を前記コンタクトに設けたことを特徴とする請求項３〜６のいずれか一項に記載のプラグ・ソケット式ケーブル線中継用コネクタ。
【発明の詳細な説明】
【技術分野】
【０００１】
本発明は、ケーブル線の端部を収容するためのハウジングを具備するプラグ・ソケット式ケーブル線中継用コネクタに関し、特には、ケーブル線の端部に取付けられたハウジングを容易に交換することができ、現場におけるハウジングの交換作業を容易にすることができるプラグ・ソケット式ケーブル線中継用コネクタに関する。
【背景技術】
【０００２】
従来から、一方のケーブル線と他方のケーブル線とを中継するために、一方のケーブル線の端部の芯線部分を収容するプラグハウジングと、他方のケーブル線の端部の芯線部分を収容するソケットハウジングとを具備するプラグ・ソケット式ケーブル線中継用コネクタが知られている。
【０００３】
図１０は従来のプラグ・ソケット式ケーブル線中継用コネクタの部分断面図である。図１０において、１１０はプラグ・ソケット式ケーブル線中継用コネクタの一部を構成するプラグアセンブリ、１１１はプラグアセンブリ１１０によって中継されるケーブル線、１１２はケーブル線１１１の端部の芯線部分、１１３はケーブル線１１１の外皮である。１２０はケーブル線１１１の端部の芯線部分１１２を収容するために絶縁体によって形成されたプラグハウジング、１４０はケーブル線１１１の端部の芯線部分１１２にかしめられたターミナル、１４５はゴム状の樹脂である。
【０００４】
１５０はプラグ・ソケット式ケーブル線中継用コネクタの一部を構成するソケットアセンブリ、１５１はソケットアセンブリ１５０によって中継されるケーブル線、１５２はケーブル線１５１の端部の芯線部分、１５３はケーブル線１５１の外皮である。１６０はケーブル線１５１の端部の芯線部分１５２を収容するために絶縁体によって形成されたソケットハウジング、１７０はケーブル線１５１の端部の芯線部分１５２にかしめられたコンタクト、１８０はゴム状の樹脂である。
【０００５】
図１０に示すように、従来のプラグ・ソケット式ケーブル線中継用コネクタでは、ケーブル線１１１とケーブル線１５１とが中継される場合には、まず、ケーブル線１１１の端部の芯線部分１１２にターミナル１４０がかしめられる。それにより、ケーブル線１１１とターミナル１４０とが電気的に接続せしめられる。次いで、そのターミナル１４０と、プラグハウジング１２０と、樹脂１４５とが一体成形されることにより、プラグアセンブリ１１０が形成される。
【０００６】
同様に、まず、ケーブル線１５１の端部の芯線部分１５２にコンタクト１７０がかしめられる。それにより、ケーブル線１５１とコンタクト１７０とが電気的に接続せしめられる。次いで、そのコンタクト１７０と、ソケットハウジング１６０と、樹脂１８０とが一体成形されることにより、ソケットアセンブリ１５０が形成される。
【０００７】
次いで、ソケットアセンブリ１５０のソケットハウジング１６０が、プラグアセンブリ１１０のプラグハウジング１２０内に嵌合せしめられる。それにより、プラグアセンブリ１１０のターミナル１４０と、ソケットアセンブリ１６０のコンタクト１７０とが電気的に接続せしめられる。その結果、ケーブル線１１１とケーブル線１５１とが電気的に接続せしめられ、中継されることになる。
【０００８】
ところが、図１０に示した従来のプラグ・ソケット式ケーブル線中継用コネクタでは、ケーブル線１１１の端部にプラグハウジング１２０を固定するために、ケーブル線１１１の端部とプラグハウジング１２０とを一体成形しなければならず、ケーブル線１５１の端部にソケットハウジング１６０を固定するために、ケーブル線１５１の端部とソケットハウジング１６０とを一体成形しなければならない。そのため、図１０に示した従来のプラグ・ソケット式ケーブル線中継用コネクタでは、ケーブル線１１１の端部からプラグハウジング１２０を容易に取り外すことができず、ケーブル線１５１の端部からソケットハウジング１６０を容易に取り外すことができない。すなわち、プラグハウジング１２０およびソケットハウジング１６０を容易に交換することができない。
【０００９】
また、電線の端部を収容するための絶縁層を具備するコネクタの例として、例えば特許第２６６６９４９号公報に記載されたものがある。ところが、特許第２６６６９４９号公報に記載されたコネクタでは、絶縁層とケーブル線の端部とをかしめることにより、ケーブル線の端部に絶縁層が固定されるため、ケーブル線の端部に取付けられた絶縁層を容易に交換することができない。また、特許第２６６６９４９号公報に記載されたコネクタでは、Ｏリングによってケーブル線の端部に絶縁層が固定されるため、ケーブル線の端部に取付けられた絶縁層を容易に交換することができない。
【００１０】
また、ケーブル線を接続するための端子台の例として、例えば特開２００３−３１７８２５号公報に記載されたものがある。ところが、特開２００３−３１７８２５号公報に記載されたものでは、大型の端子台ハウジングが用いられるため、現場でケーブル線の端部に対してハウジングを交換するのには不向きである。つまり、特開２００３−３１７８２５号公報に記載されたものでは、現場においてハウジングの交換作業を容易に行うことができない。
【００１１】
【特許文献１】特許第２６６６９４９号公報
【００１２】
【特許文献２】特開２００３−３１７８２５号公報
【発明の開示】
【発明が解決しようとする課題】
【００１３】
前記問題点に鑑み、本発明は、ケーブル線の端部に取付けられたハウジングを容易に交換することができ、現場におけるハウジングの交換作業を容易にすることができるプラグ・ソケット式ケーブル線中継用コネクタを提供することを目的とする。
【課題を解決するための手段】
【００１４】
請求項１に記載の発明によれば、ケーブル線の端部を収容するためのハウジングを具備するプラグ・ソケット式ケーブル線中継用コネクタにおいて、ケーブル線の端部が前記ハウジングから抜けるのを防止するための抜け止め手段と、前記抜け止め手段を解除するための解除手段とを具備することを特徴とするプラグ・ソケット式ケーブル線中継用コネクタが提供される。
【００１５】
請求項２に記載の発明によれば、前記抜け止め手段を前記ハウジングに取付けるための係止手段を設け、前記係止手段に突起を形成し、前記解除手段が前記ハウジングから脱落するのを防止するために前記係止手段の突起と係合する突起を前記解除手段に形成したことを特徴とする請求項１に記載のプラグ・ソケット式ケーブル線中継用コネクタが提供される。
【００１６】
請求項３に記載の発明によれば、ケーブル線の端部の芯線部分と係合するための弾性変形可能な第１の係合部を有するコンタクトをソケットハウジング内に配置したことを特徴とする請求項１又は２に記載のプラグ・ソケット式ケーブル線中継用コネクタが提供される。
【００１７】
請求項４に記載の発明によれば、ケーブル線の端部の芯線部分が前記第１の係合部と係合せしめられる時にその芯線部分を保護誘導するための第１の保護誘導部を前記第１の係合部に隣接して配置したことを特徴とする請求項４に記載のプラグ・ソケット式ケーブル線中継用コネクタが提供される。
【００１８】
請求項５に記載の発明によれば、プラグハウジングに取付けられたケーブル線の端部の芯線部分と係合するための弾性変形可能な第２の係合部を前記コンタクトに設けたことを特徴とする請求項３又は４に記載のプラグ・ソケット式ケーブル線中継用コネクタが提供される。
【００１９】
請求項６に記載の発明によれば、プラグハウジングに取付けられたケーブル線の端部の芯線部分が前記第２の係合部と係合せしめられる時にその芯線部分を保護誘導するための第２の保護誘導部を前記第２の係合部に隣接して配置したことを特徴とする請求項５に記載のプラグ・ソケット式ケーブル線中継用コネクタが提供される。
【００２０】
請求項７に記載の発明によれば、前記ソケットハウジングの内壁面と係合するための弾性変形可能な係止部を前記コンタクトに設けたことを特徴とする請求項３〜６のいずれか一項に記載のプラグ・ソケット式ケーブル線中継用コネクタが提供される。
【発明の効果】
【００２１】
請求項１に記載のプラグ・ソケット式ケーブル線中継用コネクタでは、ケーブル線の端部がハウジングから抜けるのを防止するための抜け止め手段と、その抜け止め手段を解除するための解除手段とが設けられている。詳細には、抜け止め防止手段によって、ケーブル線の端部にハウジングが固定され、解除手段を作動することによって、ケーブル線の端部からハウジングが取り外される。そのため、ハウジングとケーブル線の端部とを一体成形することにより、ケーブル線の端部にハウジングが固定される従来の場合よりも、ケーブル線の端部に取付けられたハウジングを容易に交換することができる。更に、ハウジングとケーブル線の端部とをかしめることにより、ケーブル線の端部にハウジングが固定される従来の場合よりも、ケーブル線の端部に取付けられたハウジングを容易に交換することができる。また、Ｏリングによってケーブル線の端部にハウジングが固定される従来の場合よりも、ケーブル線の端部に取付けられたハウジングを容易に交換することができる。更に、請求項１に記載のプラグ・ソケット式ケーブル線中継用コネクタでは、コンパクトなプラグハウジングおよびソケットハウジングが用いられるため、大型の端子台ハウジングが用いられる場合よりも、現場におけるハウジングの交換作業を容易にすることができる。
【００２２】
請求項２に記載のプラグ・ソケット式ケーブル線中継用コネクタでは、解除手段を押動することにより抜け止め手段が解除される。詳細には、解除手段を片手で押動することにより抜け止め手段が解除される。そのため、解除手段を両手で作動しなければならない場合よりも、解除手段を容易に作動することができる。
【００２３】
請求項３に記載のプラグ・ソケット式ケーブル線中継用コネクタでは、ケーブル線の端部の芯線部分と係合するための弾性変形可能な第１の係合部を有するコンタクトがソケットハウジング内に配置される。そのため、ケーブル線の端部の芯線部分にコンタクトをかしめる必要性や、コンタクトに対してケーブル線を不動に固定するためのＯリングを設ける必要性を排除することができる。好ましくは、上下一対の第１の係合部がコンタクトに設けられている。
【００２４】
請求項４に記載のプラグ・ソケット式ケーブル線中継用コネクタでは、ケーブル線の端部の芯線部分が第１の係合部と係合せしめられる時にその芯線部分を保護誘導するための第１の保護誘導部が第１の係合部に隣接して配置されている。そのため、ケーブル線の端部の芯線部分が第１の係合部と係合せしめられる時に座屈してしまうのを抑制することができる。好ましくは、上下一対の第１の保護誘導部が上下一対の第１の係合部のそれぞれに隣接して配置されている。
【００２５】
請求項５に記載のプラグ・ソケット式ケーブル線中継用コネクタでは、プラグハウジングに取付けられたケーブル線の端部の芯線部分と係合するための弾性変形可能な第２の係合部が、ソケットハウジング内に配置されるコンタクトに設けられている。そのため、プラグハウジングに取付けられたケーブル線の端部の芯線部分にコンタクトをかしめる必要性や、プラグハウジングに取付けられたケーブル線をコンタクトに対して不動に固定するためのＯリングを設ける必要性を排除することができる。更に、コンタクトとは別個にターミナルまたはプラグピンを設ける必要性を排除することができる。好ましくは、上下一対の第２の係合部がコンタクトに設けられている。
【００２６】
請求項６に記載のプラグ・ソケット式ケーブル線中継用コネクタでは、プラグハウジングに取付けられたケーブル線の端部の芯線部分が第２の係合部と係合せしめられる時にその芯線部分を保護誘導するための第２の保護誘導部が、第２の係合部に隣接して配置されている。そのため、プラグハウジングに取付けられたケーブル線の端部の芯線部分が第２の係合部と係合せしめられる時に座屈してしまうのを抑制することができる。好ましくは、上下一対の第２の保護誘導部が上下一対の第２の係合部のそれぞれに隣接して配置されている。
【００２７】
請求項７に記載のプラグ・ソケット式ケーブル線中継用コネクタでは、ソケットハウジングの内壁面と係合するための弾性変形可能な係止部がコンタクトに設けられている。そのため、例えばソケットハウジング内にコンタクトを圧入するためにソケットハウジングの内径とコンタクトの外径とを高精度で仕上げる必要なく、ソケットハウジングに対してコンタクトを不動に固定することができる。好ましくは、外側に向かって突出している左右一対の係止部がコンタクトに設けられている。
【発明を実施するための最良の形態】
【００２８】
図１は本発明のプラグ・ソケット式ケーブル線中継用コネクタの第１の実施形態の一部を構成するプラグアセンブリを示した図である。詳細には、図１（Ａ）は第１の実施形態のプラグ・ソケット式ケーブル線中継用コネクタの一部を構成するプラグアセンブリの平面図、図１（Ｂ）は図１（Ａ）に示したプラグアセンブリを図１（Ａ）の下側から見た横断面図、図１（Ｃ）は図１（Ｂ）に示したプラグアセンブリを図１（Ｂ）の右側から見た端面図である。図２は図１に示したプラグアセンブリの分解斜視図、図３は図１および図２に示したリングスプリングの拡大図である。詳細には、図３（Ａ）は図１および図２に示したリングスプリングをケーブル線の中心軸線方向から見た図、図３（Ｂ）は図３（Ａ）中のａ−ａ線に沿って切断した断面図である。図４は図１（Ｂ）に示したプラグアセンブリの拡大断面図である。
【００２９】
図１〜図４において、１０は第１の実施形態のプラグ・ソケット式ケーブル線中継用コネクタの一部を構成するプラグアセンブリ、１１はプラグアセンブリ１０によって中継されるケーブル線、１２はケーブル線１１の端部の芯線部分、１３はケーブル線１１の外皮である。２０はケーブル線１１の端部の芯線部分１２を収容するために絶縁体によって形成されたプラグハウジング、２１はプラグハウジング２０の外筒部、２２はケーブル線１１の端部の芯線部分１２を把持するための把持部である。２３はプラグハウジング２０の係止部、２４は後述するリングスプリングを固定するための固定部、２５は後述するストップリングとしまりばめを形成するための圧入部である。
【００３０】
３０はケーブル線１１の外皮１３とプラグハウジング２０との隙間を介してケーブル線１１の端部の芯線部分１２まで水が浸入するのを防止するための防水ゴムである。４０はケーブル線１１の端部がプラグハウジング２０から抜けるのを防止するためのリングスプリング、４１はプラグハウジング２０の固定部２４に突き当てられる座部、４２はケーブル線１１の外皮１３を係止するための係止部である。５０はリングスプリング４０をプラグハウジング２０に取付けるためのストップリング、５１はプラグハウジング２０の圧入部２５としまりばめを形成するための圧入部である。５２はプラグハウジング２０の固定部２４と共にリングスプリング４０の座部４１を狭持するための固定部、５３は後述する解除リングがプラグハウジング２０から脱落するのを防止するための突起である。
【００３１】
６０はリングスプリング４０がケーブル線１１の外皮１３を係止した状態を解除するための解除リング、６１はケーブル線１１の外皮１３が係止された状態を解除する時に例えば作業者の親指によって押動されるグリップである。６２はリングスプリング４０の係止部４２を弾性変形させるための押動部、６３はストップリング５０の突起５３と係合するための突起である。
【００３２】
図５は本発明のプラグ・ソケット式ケーブル線中継用コネクタの第１の実施形態の一部を構成するソケットアセンブリを示した図である。詳細には、図５（Ａ）は第１の実施形態のプラグ・ソケット式ケーブル線中継用コネクタの一部を構成するソケットアセンブリの平面図、図５（Ｂ）は図５（Ａ）に示したプラグアセンブリを図５（Ａ）の左側から見た端面図、図５（Ｃ）は図５（Ａ）に示したソケットアセンブリを図５（Ａ）の下側から見た横断面図である。図６は図５（Ｃ）に示したソケットアセンブリの拡大断面図、図７は図５および図６に示したコンタクトの斜視図である。
【００３３】
図５および図６において、７０は第１の実施形態のプラグ・ソケット式ケーブル線中継用コネクタの一部を構成するソケットアセンブリ、７１はソケットアセンブリ７０によって中継されるケーブル線、７２はケーブル線７１の端部の芯線部分、７３はケーブル線７１の外皮である。８０はケーブル線７１の端部の芯線部分７２を収容するために絶縁体によって形成されたソケットハウジング、８１はソケットハウジング８０の外筒部、８２はケーブル線７１の端部の芯線部分７２を把持するための把持部である。８３はソケットハウジング８０の係止部、８４は後述するリングスプリングを固定するための固定部、８５は後述するストップリングとしまりばめを形成するための圧入部である。
【００３４】
９０はケーブル線７１の外皮７３とソケットハウジング８０との隙間を介してケーブル線７１の端部の芯線部分７２まで水が浸入するのを防止するために上述した防水ゴム３０と同様に構成された防水ゴムである。２００はケーブル線７１の端部がソケットハウジング８０から抜けるのを防止するために上述したリングスプリング４０と同様に構成されたリングスプリングである。２０１はソケットハウジング８０の固定部８４に突き当てられる座部、２０２はケーブル線７１の外皮７３を係止するための係止部である。２１０はリングスプリング２００をソケットハウジング８０に取付けるために上述したストップリング５０と同様に構成されたストップリングである。２１１はソケットハウジング８０の圧入部８５としまりばめを形成するための圧入部である。２１２はソケットハウジング８０の固定部８４と共にリングスプリング２００の座部２０１を狭持するための固定部、２１３は後述する解除リングがソケットハウジング８０から脱落するのを防止するための突起である。
【００３５】
２２０はリングスプリング２００がケーブル線７１の外皮７３を係止した状態を解除するために上述した解除リング６０と同様に構成された解除リングである。２２１はケーブル線７１の外皮７３が係止された状態を解除する時に例えば作業者の親指によって押動されるグリップである。２２２はリングスプリング２００の係止部２０２を弾性変形させるための押動部、２２３はストップリング２１０の突起２１３と係合するための突起である。
【００３６】
２３０は図１に示したケーブル線１１の端部の芯線部分１２とケーブル線７１の端部の芯線部分７２とを電気的に接続するためのコンタクトである。２３１はケーブル線７１の端部の芯線部分７２と係合するために上下一対設けられた係合部、２３２はケーブル線７１の端部の芯線部分７２がソケットハウジング８０に取付けられる時にケーブル線７１の端部の芯線部分７２を保護誘導するために係合部２３１に隣接して配置されたテーパ部である。２３３は図１に示したケーブル線１１の端部の芯線部分１２と係合するために上下一対設けられた係合部、２３４はケーブル線１１の端部の芯線部分１２がソケットハウジング８０に取付けられる時にケーブル線１１の端部の芯線部分１２を保護誘導するために係合部２３３に隣接して配置されたテーパ部である。２３５はソケットハウジング８０の外筒部８１の内壁面と係合することにより、ソケットハウジング８０に対してコンタクト２３０を不動に固定するために左右一対設けられた係止部である。２４０はＯリングである。
【００３７】
第１の実施形態のプラグ・ソケット式ケーブル線中継用コネクタでは、ケーブル線１１とケーブル線７１とが中継される場合には、まず、図２に示すように、ケーブル線１１、解除リング６０、ストップリング５０、リングスプリング４０、防水ゴム３０、およびプラグハウジング２０が配列される。次いで、それらが図１および図４に示す状態に組み付けられる。
【００３８】
詳細には、まず、防水ゴム３０がプラグハウジング２０の外筒部２１内に圧入される。次いで、ケーブル線１１の端部がプラグハウジング２０から抜けるのを防止するためのリングスプリング４０を挟むようにしてストップリング５０がプラグハウジング２０に対して圧入される。詳細には、プラグハウジング２０の圧入部２５とストップリング５０の圧入部５１とが、しまりばめを形成することにより、ストップリング５０がプラグハウジング２０に対して固定される。その結果、ストップリング５０とプラグハウジング２０とに狭持されたリングスプリング４０が、プラグハウジング２０に対して固定される。詳細には、プラグハウジング２０の固定部２４とストップリング５０の固定部５２とによってリングスプリング４０の座部４１が狭持されることにより、リングスプリング４０がプラグハウジング２０に対して固定される。
【００３９】
次いで、突起６３がストップリング５０の突起５３を乗り越えるまで、解除リング６０がプラグハウジング２０の外筒部２１内に、つまり、図１および図４の右側に押し込まれる。その結果、解除リング６０の突起６３とストップリング５０の突起５３とが係合することにより、解除リング６０がプラグハウジング２０から脱落するのが防止される。
【００４０】
次いで、ケーブル線１１の端部の芯線部分１２がプラグハウジング２０内に挿入される。詳細には、ケーブル線１１が防水ゴム３０内に圧入され、ケーブル線１１の端部の芯線部分１２がプラグハウジング２０の把持部２２内に挿入される。この芯線部分１２は、プラグハウジング２０の把持部２２内に挿入される時および後述するコンタクト２３０内に挿入される時に破損してしまうおそれを低減するために、プラグハウジング２０の把持部２２内に挿入される前に、その先端が予め予備半田されている。
【００４１】
ケーブル線１１をプラグハウジング２０から引き抜こうとすると、リングスプリング４０の係止部４２がケーブル線１１の外皮１３にくい込むことにより、ケーブル線１１の端部がプラグハウジング２０から抜けるのが防止される。
【００４２】
以上により、プラグアセンブリ１０が形成される。
【００４３】
また、図５および図６に示すように、コンタクト２３０がソケットハウジング８０の外筒部８１内に図５および図６の左側から挿入される。その結果、ソケットハウジング８０の外筒部８１の内壁面と図７に示したコンタクト２３０の係止部２３５とが係合することにより、コンタクト２３０がソケットハウジング８０に対して不動に固定される。
【００４４】
次いで、ケーブル線７１、解除リング２２０、ストップリング２１０、リングスプリング２００、防水ゴム９０、およびソケットハウジング８０が順に配列され、次いで、それらが図５および図６に示す状態に組み付けられる。
【００４５】
詳細には、まず、防水ゴム９０がソケットハウジング８０内に圧入される。次いで、ケーブル線７１の端部がソケットハウジング８０から抜けるのを防止するためのリングスプリング２００を挟むようにしてストップリング２１０がソケットハウジング８０に対して圧入される。詳細には、ソケットハウジング８０の圧入部８５とストップリング２１０の圧入部２１１とが、しまりばめを形成することにより、ストップリング２１０がソケットハウジング８０に対して固定される。その結果、ストップリング２１０とソケットハウジング８０とに狭持されたリングスプリング２００が、ソケットハウジング８０に対して固定される。詳細には、ソケットハウジング８０の固定部８４とストップリング２１０の固定部２１２とによってリングスプリング２００の座部２０１が狭持されることにより、リングスプリング２００がソケットハウジング８０に対して固定される。
【００４６】
次いで、突起２２３がストップリング２１０の突起２１３を乗り越えるまで、解除リング２２０がソケットハウジング８０内に、つまり、図５および図６の左側に押し込まれる。その結果、解除リング２２０の突起２２３とストップリング２１０の突起２１３とが係合することにより、解除リング２２０がソケットハウジング８０から脱落するのが防止される。
【００４７】
次いで、ケーブル線７１の端部の芯線部分７２がソケットハウジング８０内に挿入される。詳細には、ケーブル線７１が防水ゴム９０内に圧入され、ケーブル線７１の端部の芯線部分７２がソケットハウジング８０の把持部８２内に挿入される。この芯線部分７２は、ソケットハウジング８０の把持部８２内に挿入される時およびコンタクト２３０内に挿入される時に破損してしまうおそれを低減するために、ソケットハウジング８０の把持部８２内に挿入される前に、その先端が予め予備半田されている。
【００４８】
ケーブル線７１の端部の芯線部分７２は、コンタクト２３０のテーパ部２３２によってコンタクト２３０内に保護誘導され、コンタクト２３０の係合部２３１と係合する。それにより、ケーブル線７１とコンタクト２３０とが電気的に接続せしめられる。
【００４９】
ケーブル線７１をソケットハウジング８０から引き抜こうとすると、リングスプリング２００の係止部２０２がケーブル線７１の外皮７３にくい込むことにより、ケーブル線７１の端部がソケットハウジング８０から抜けるのが防止される。
【００５０】
以上により、ソケットアセンブリ７０が形成される。
【００５１】
次いで、ソケットハウジング８０の外筒部８１がプラグハウジング２０の外筒部２１内に嵌合せしめられ、ソケットハウジング８０の係止部８３がプラグハウジング２０の係止部２３と係合せしめられる。図８はプラグアセンブリ１０とソケットアセンブリ７０とを嵌合させた状態を示した図である。プラグアセンブリ１０とソケットアセンブリ７０とが嵌合せしめられる時、ケーブル線１１の端部の芯線部分１２は、コンタクト２３０のテーパ部２３４によってコンタクト２３０内に保護誘導され、コンタクト２３０の係合部２３３と係合する。それにより、ケーブル線１１とコンタクト２３０とが電気的に接続せしめられる。その結果、ケーブル線１１とケーブル線７１とが電気的に接続せしめられ、中継されることになる。詳細には、ソケットハウジング８０の外筒部８１がプラグハウジング２０の外筒部２１内に嵌合せしめられると、ケーブル線１１の端部の芯線部分１２が、コンタクト２３０の入口縁部に引っ掛かることなくテーパ部２３４まで案内されるように、ソケットハウジング８０の外筒部８１と、プラグハウジング２０の外筒部２１と、その把持部２２と、コンタクト２３０とが芯出しされている。
【００５２】
プラグハウジング２０の交換が行われる場合には、解除リング６０が図１および図４の右側に押動される。その結果、解除リング６０の押動部６２によってリングスプリング４０の係止部４２が弾性変形せしめられ、それにより、係止部４２の先端がケーブル線１１の外皮１３から離間せしめられる。その時に、ケーブル線１１をプラグハウジング２０から図１および図４の左側に引き抜くことにより、ケーブル線１１とプラグハウジング２０とを分離することができ、プラグハウジング２０を交換することができる。
【００５３】
ソケットハウジング８０の交換が行われる場合には、解除リング２２０が図５および図６の左側に押動される。その結果、解除リング２２０の押動部２２２によってリングスプリング２００の係止部２０２が弾性変形せしめられ、それにより、係止部２０２の先端がケーブル線７１の外皮７３から離間せしめられる。その時に、ケーブル線７１をソケットハウジング８０から図５および図６の右側に引き抜くことにより、ケーブル線７１とソケットハウジング８０とを分離することができ、ソケットハウジング８０を交換することができる。
【００５４】
第１の実施形態のプラグ・ソケット式ケーブル線中継用コネクタのプラグアセンブリ１０では、図１〜図４に示したように、ケーブル線１１の端部がプラグハウジング２０から抜けるのを防止する抜け止め手段としてのリングスプリング４０と、そのリングスプリング４０の抜け止め機能を解除する解除手段としての解除リング６０とが設けられている。詳細には、リングスプリング４０によって、ケーブル線１１の端部にプラグハウジング２０が固定され、解除リング６０を作動することによって、ケーブル線１１の端部からプラグハウジング２０が取り外される。そのため、プラグハウジング１２０とケーブル線１１１の端部とを一体成形することにより、ケーブル線１１１の端部にプラグハウジング１２０が固定される図１０に示した従来の場合よりも、ケーブル線１１の端部からプラグハウジング２０を容易に取り外すことができる。すなわち、プラグハウジング２０を容易に交換することができる。
【００５５】
更に、第１の実施形態のプラグ・ソケット式ケーブル線中継用コネクタのプラグアセンブリ１０では、図１０に示した従来の場合のような一体成形が行われないため、一体成形が行われる図１０に示した従来の場合よりも、プラグ・ソケット式ケーブル線中継用コネクタのプラグアセンブリ１０の製造コストを抑制することができる。
【００５６】
第１の実施形態のプラグ・ソケット式ケーブル線中継用コネクタのソケットアセンブリ７０では、図５および図６に示したように、ケーブル線７１の端部がソケットハウジング８０から抜けるのを防止する抜け止め手段としてのリングスプリング２００と、そのリングスプリング２００の抜け止め機能を解除する解除手段としての解除リング２２０とが設けられている。詳細には、リングスプリング２００によって、ケーブル線７１の端部にソケットハウジング８０が固定され、解除リング２２０を作動することによって、ケーブル線７１の端部からソケットハウジング８０が取り外される。そのため、ソケットハウジング１６０とケーブル線１５１の端部とを一体成形することにより、ケーブル線１５１の端部にソケットハウジング１６０が固定される図１０に示した従来の場合よりも、ケーブル線７１の端部からソケットハウジング８０を容易に取り外すことができる。すなわち、ソケットハウジング８０を容易に交換することができる。
【００５７】
更に、第１の実施形態のプラグ・ソケット式ケーブル線中継用コネクタのソケットアセンブリ７０では、図１０に示した従来の場合のような一体成形が行われないため、一体成形が行われる図１０に示した従来の場合よりも、プラグ・ソケット式ケーブル線中継用コネクタのソケットアセンブリ７０の製造コストを抑制することができる。
【００５８】
また、第１の実施形態のプラグ・ソケット式ケーブル線中継用コネクタのプラグアセンブリ１０では、図１および図４に示したように、解除手段としての解除リング６０を押動することにより、抜け止め手段としてのリングスプリング４０が解除される。詳細には、解除リング６０を片手で押動することによりリングスプリング４０が解除される。そのため、解除手段を両手で作動しなければならない場合よりも、解除手段としての解除リング６０を容易に作動することができる。
【００５９】
更に、第１の実施形態のプラグ・ソケット式ケーブル線中継用コネクタのソケットアセンブリ７０では、図５および図６に示したように、解除手段としての解除リング２２０を押動することにより、抜け止め手段としてのリングスプリング２００が解除される。詳細には、解除リング２２０を片手で押動することによりリングスプリング２００が解除される。そのため、解除手段を両手で作動しなければならない場合よりも、解除手段としての解除リング２２０を容易に作動することができる。
【００６０】
また、第１の実施形態のプラグ・ソケット式ケーブル線中継用コネクタのプラグアセンブリ１０では、図１〜図４に示したように、弾性変形可能な係止部４２がリングスプリング４０に設けられ、その係止部４２が弾性変形することにより、プラグハウジング２０内へのケーブル線１１の端部の進入が許容され、弾性変形した係止部４２が元の形状に復帰してケーブル線１１の外皮１３を係止することにより、プラグハウジング２０からケーブル線１１の端部が抜けるのが防止される。そのため、プラグハウジング２０内にケーブル線１１の端部を挿入することのみにより、プラグハウジング２０にケーブル線１１の端部を固定することができる。
【００６１】
更に、第１の実施形態のプラグ・ソケット式ケーブル線中継用コネクタのソケットアセンブリ７０では、図５および図６に示したように、弾性変形可能な係止部２０２がリングスプリング２００に設けられ、その係止部２０２が弾性変形することにより、ソケットハウジング８０内へのケーブル線７１の端部の進入が許容され、弾性変形した係止部２０２が元の形状に復帰してケーブル線７１の外皮７３を係止することにより、ソケットハウジング８０からケーブル線７１の端部が抜けるのが防止される。そのため、ソケットハウジング８０内にケーブル線７１の端部を挿入することのみにより、ソケットハウジング８０にケーブル線７１の端部を固定することができる。
【００６２】
また、第１の実施形態のプラグ・ソケット式ケーブル線中継用コネクタのプラグアセンブリ１０では、図１０に示した従来の場合のようにターミナル１４０がケーブル線の端部の芯線部分にかしめられるのではなく、図１および図４に示したように、ケーブル線１１の端部の芯線部分１２がプラグハウジング２０に直接把持されている。そのため、ケーブル線１１の端部の芯線部分１２にターミナルをかしめる必要性を排除することができる。
【００６３】
更に、第１の実施形態のプラグ・ソケット式ケーブル線中継用コネクタのソケットアセンブリ７０では、図５〜図７を参照して説明したように、まず、コンタクト２３０がソケットハウジング８０に取付けられ、次いで、ケーブル線７１の端部の芯線部分７２がソケットハウジング８０に取付けられる。詳細には、ケーブル線７１の端部の芯線部分７２がソケットハウジング８０に取付けられる時に、ケーブル線７１の端部の芯線部分７２が、弾性変形可能なコンタクト２３０の係合部２３１と係合し、それにより、ケーブル線７１の端部の芯線部分７２とコンタクト２３０とが電気的に接続せしめられる。そのため、ケーブル線７１の端部の芯線部分７２にコンタクトをかしめる必要性を排除することができる。
【００６４】
また、第１の実施形態のプラグ・ソケット式ケーブル線中継用コネクタでは、図７に示したように、芯線部分１２，７２を保護誘導するために上下対に設けられたテーパ部２３２，２３４がコンタクト２３０に設けられている。そのため、芯線部分１２，７２がソケットハウジング８０に取付けられる時にコンタクト２３０に突き当たるのに伴って座屈してしまうのを抑制することができる。
【００６５】
以下、第１の実施形態のプラグ・ソケット式ケーブル線中継用コネクタの上述した使用例とは異なる他の使用例について説明する。上述した使用例では、図１に示したプラグアセンブリ１０と図５に示したソケットアセンブリ７０とが別個に形成され、次いで、それらが図８に示したように結合せしめられるが、他の使用例では、図９に示すように、ケーブル線１１が取付けられていないプラグハウジング２０と、ケーブル線７１が取付けられていないソケットハウジング８０とが、まず最初に結合せしめられる。図９は第１の実施形態のプラグ・ソケット式ケーブル線中継用コネクタの他の使用例を説明するための図である。
【００６６】
詳細には、他の使用例では、ケーブル線１１およびケーブル線７１が取付けられることなく、まず最初に、図９に示すように、解除リング６０、ストップリング５０、リングスプリング４０、防水ゴム３０、プラグハウジング２０、コンタクト２３０、ソケットハウジング８０、防水ゴム９０、リングスプリング２００、ストップリング２１０、および解除リング２２０が順に配列され、組み付けられる。
【００６７】
次いで、ケーブル線１１がプラグハウジング２０内に挿入され、リングスプリング４０によってケーブル線１１がプラグハウジング２０に対して固定される。また、ケーブル線７１がソケットハウジング８０内に挿入され、リングスプリング２００によってケーブル線７１がソケットハウジング２００に対して固定される。
【００６８】
つまり、第１の実施形態のプラグ・ソケット式ケーブル線中継用コネクタの他の使用例では、プラグハウジング２０とソケットハウジング８０とを予め結合し、次いで、プラグハウジング２０およびソケットハウジング８０のそれぞれに対してケーブル線１１，７１の端部を挿入して固定することができる。
【００６９】
上述したように、第１の実施形態では、本発明が１極型のプラグ・ソケット式ケーブル線中継用コネクタに適用されているが、第２の実施形態では、本発明を多極型または他のケーブル線を接続するためのプラグ・ソケット式ケーブル線中継用コネクタに適用可能である。
【図面の簡単な説明】
【００７０】
【図１】本発明のプラグ・ソケット式ケーブル線中継用コネクタの第１の実施形態の一部を構成するプラグアセンブリを示した図である。
【図２】図１に示したプラグアセンブリの分解斜視図である。
【図３】図１および図２に示したリングスプリングの拡大図である。
【図４】図１（Ｂ）に示したプラグアセンブリの拡大断面図である。
【図５】本発明のプラグ・ソケット式ケーブル線中継用コネクタの第１の実施形態の一部を構成するソケットアセンブリを示した図である。
【図６】図５（Ｃ）に示したソケットアセンブリの拡大断面図である。
【図７】図５および図６に示したコンタクトの斜視図である。
【図８】プラグアセンブリ１０とソケットアセンブリ７０とを嵌合させた状態を示した図である。
【図９】第１の実施形態のプラグ・ソケット式ケーブル線中継用コネクタの他の使用例を説明するための図である。
【図１０】従来のプラグ・ソケット式ケーブル線中継用コネクタの部分断面図である。
【符号の説明】
【００７１】
１０      プラグアセンブリ
１１      ケーブル線
１２      芯線部分
１３      外皮
２０      プラグハウジング
２１      外筒部
２２      把持部
２３      係止部
２４      固定部
２５      圧入部
３０      防水ゴム
４０      リングスプリング
４１      座部
４２      係止部
５０      ストップリング
５１      圧入部
５２      固定部
５３      突起
６０      解除リング
６１      グリップ
６２      押動部
６３      突起
７０      ソケットアセンブリ
７１      ケーブル線
７２      芯線部分
７３      外皮
８０      ソケットハウジング
８１      外筒部
８２      把持部
８３      係止部
８４      固定部
８５      圧入部
９０      防水ゴム
２００    リングスプリング
２０１    座部
２０２    係止部
２１０    ストップリング
２１１    圧入部
２１２    固定部
２１３    突起
２２０    解除リング
２２１    グリップ
２２２    押動部
２２３    突起
２３０    コンタクト
２３１    係合部
２３２    テーパ部
２３３    係合部
２３４    テーパ部
２３５    係止部
２４０    Ｏリング
【図１】
2005293958.tif 000003
【図２】
2005293958.tif 000004
【図３】
2005293958.tif 000005
【図４】
2005293958.tif 000006
【図５】
2005293958.tif 000007
【図６】
2005293958.tif 000008
【図７】
2005293958.tif 000009
【図８】
2005293958.tif 000010
【図９】
2005293958.tif 000011
【図１０】
2005293958.tif 000012